(57)【要約】【課題】体液吸収性に優れ、スキンケア剤の付着に起因する体液の漏れが発生し難い吸収性物品を提供すること。【解決手段】本発明の吸収性物品１は、吸収体４と表面シート２とを有する吸収性本体１０を具備する。吸収性本体１０は、両側部１０ｓに、伸長状態の弾性部材１１を配した一対の防漏カフ５を有する。防漏カフ５は股下領域１Ｍでは着用状態において起立する。吸収性本体１０は、弾性部材１１の収縮力に抗して伸長させ一対の防漏カフ５を横方向Ｙ内方に表面シート２の肌対向面上に倒伏させた状態で、倒伏した一対の防漏カフ５で挟まれた領域内に、親水性のスキンケア剤が配されたスキンケア剤配置領域８Ｔを有する。股下領域１Ｍでは、スキンケア剤の配置量が、スキンケア剤配置領域８Ｔの縦方向Ｘに沿う剤配置両側部８Ｔｓそれぞれよりも剤配置中央部８Ｔｃの方が多い。【選択図】図１
2018102836.tif 000002
【特許請求の範囲】
【請求項１】
液保持性の吸収体と該吸収体の肌対向面側に液透過性の表面シートとを有する吸収性本体を具備し、着用者の腹側から股間部を介して背側に延びる縦方向とこれに直交する横方向とを備えると共に、該股間部に配される股下領域並びにその前後に延在する腹側領域及び背側領域を備える吸収性物品であって、
前記吸収性本体は、その縦方向に沿う両側部に、縦方向に伸長状態の弾性部材を配した一対の防漏カフを有し、
前記防漏カフは、股下領域では、着用状態において起立するように形成されており、
前記吸収性本体は、前記弾性部材の収縮力に抗して伸長させ前記一対の防漏カフを横方向内方に前記表面シートの肌対向面上に倒伏させた状態で、前記表面シートにおける倒伏した該一対の防漏カフで挟まれた領域内に、親水性のスキンケア剤が配されたスキンケア配置部分を含むスキンケア剤配置領域を有し、
股下領域において、前記スキンケア剤の配置量は、前記スキンケア剤配置領域の縦方向に沿う剤配置両側部それぞれよりも該剤配置両側部の間の剤配置中央部の方が多い、吸収性物品。
【請求項２】
前記吸収体は、吸収性材料を含む吸収性コアを有し、
前記吸収性コアは、股下領域では、縦方向に延びる複数条のヨレ規制部を有している、請求項１に記載の吸収性物品。
【請求項３】
前記スキンケア剤配置領域において、前記吸収性コアの前記ヨレ規制部を除く位置に対応する位置に前記スキンケア剤が配置されている、請求項２に記載の吸収性物品。
【請求項４】
前記スキンケア剤配置領域は、腹側領域から背側領域に亘って配されており、
股下領域における前記スキンケア剤の配置部分の横方向の長さの合計が、腹側領域及び背側領域の何れか一方における前記スキンケア剤の配置部分の横方向の長さの合計よりも小さい、請求項１〜３の何れか１項に記載の吸収性物品。
【請求項５】
前記吸収体は、吸収性材料を含む吸収性コアを有し、
前記吸収性コアは、股下領域では、縦方向に沿う両側部が内方に括れている、請求項１〜４の何れか１項に記載の吸収性物品。
【請求項６】
前記吸収体は、吸収性材料を含む吸収性コアを有し、
前記吸収性コアは、肌対向面側が平坦である、請求項１〜５の何れか１項に記載の吸収性物品。
【発明の詳細な説明】
【技術分野】
【０００１】
本発明は、使い捨ておむつ等の吸収性物品に関する。
【背景技術】
【０００２】
従来より、スキンケア剤の塗布された使い捨ておむつが種々提案されている。
例えば、特許文献１には、疎水性のローションをトップシートの表面に配した使い捨ておむつが記載されている。また、特許文献２及び３には、親水性のローションをトップシートの表面に配した使い捨ておむつが記載されている。
【先行技術文献】
【特許文献】
【０００３】
【特許文献１】特表２００８−５２２７７２号公報
【特許文献２】特表２０１０−５２５８６２号公報
【特許文献３】特開２０１０−７５７３３号公報
【発明の概要】
【発明が解決しようとする課題】
【０００４】
特許文献１に記載の使い捨ておむつは、疎水性のローションをトップシートの表面に配しているので、体液吸収性を向上させることが難しい。
【０００５】
また、特許文献２及び３に記載の使い捨ておむつは、親水性のローションを使用しているので、体液吸収性に関しては何ら問題がなく、体液を吸収することができる。しかし、使用中の体液の横漏れを防止するために疎水性にしておきたいおむつの構成部材に、親水性のローションが付着してしまうと、親水性のローションの付着部分に起因して、体液の漏れを誘発してしまう。特許文献２及び３には、疎水性にしておきたいおむつの構成部材に、親水性のローションが付着することを防止するためのローションの塗布位置に関して、具体的に記載されていない。
【０００６】
したがって本発明は、前述した従来技術が有する欠点を解消し得る吸収性物品を提供することにある。
【課題を解決するための手段】
【０００７】
本発明は、液保持性の吸収体と該吸収体の肌対向面側に液透過性の表面シートとを有する吸収性本体を具備し、着用者の腹側から股間部を介して背側に延びる縦方向とこれに直交する横方向とを備えると共に、該股間部に配される股下領域並びにその前後に延在する腹側領域及び背側領域を備える吸収性物品であって、前記吸収性本体は、その縦方向に沿う両側部に、縦方向に伸長状態の弾性部材を配した一対の防漏カフを有し、前記防漏カフは、股下領域では、着用状態において起立するように形成されており、前記吸収性本体は、前記弾性部材の収縮力に抗して伸長させ前記一対の防漏カフを横方向内方に前記表面シートの肌対向面上に倒伏させた状態で、前記表面シートにおける倒伏した該一対の防漏カフで挟まれた領域内に、親水性のスキンケア剤が配されたスキンケア配置部分を含むスキンケア剤配置領域を有し、股下領域において、前記スキンケア剤の配置量は、前記スキンケア剤配置領域の縦方向に沿う剤配置両側部よりも該剤配置両側部の間の剤配置中央部の方が多い、吸収性物品である。
【発明の効果】
【０００８】
本発明によれば、体液吸収性に優れ、スキンケア剤の付着に起因する体液の漏れが発生し難い吸収性物品が提供される。
【図面の簡単な説明】
【０００９】
【図１】図１は、本発明の吸収性物品の一実施形態である展開型使い捨ておむつの肌対向面即ち表面シート側を模式的に示す平面図であり、各部の弾性部材を伸張させて平面状に拡げた展開状態における平面図である。
【図２】図２は、図１のＩＩ−ＩＩ線断面を模式的に示す横断面図である。
【図３】図３は、図１のＩＩＩ−ＩＩＩ線断面を模式的に示す横断面図である。
【発明を実施するための形態】
【００１０】
以下、本発明の吸収性物品を、その好ましい一実施形態である展開型使い捨ておむつの一例に基づき図面を参照して説明する。図１〜図３には、本実施形態の展開型使い捨ておむつ１が示されている。おむつ１は、液保持性の吸収体４と吸収体４の肌対向面側に液透過性の表面シート２とを有する吸収性本体１０を具備する。吸収性本体１０を具備するおむつ１は、着用者の腹側から股間部を介して背側に延びる縦方向Ｘとこれに直交する横方向Ｙとを備えると共に、該股間部に配される股下領域１Ｍ並びにその前後に延在する腹側領域１Ｆ及び背側領域１Ｒを備える。腹側領域１Ｆ、股下領域１Ｍ及び背側領域１Ｒは、おむつ１を縦方向Ｘに三等分した場合の各領域に相当する。股下領域１Ｍは、おむつ１の着用時に着用者のペニス、肛門等の排泄部に対向配置される排泄部対向部を有しており、該排泄部対向部は通常、おむつ１の縦方向Ｘの中央部又はその近傍に位置している。尚、縦方向Ｘ及び横方向Ｙからなる面方向に直交する垂直方向である厚み方向をＺ方向として説明する。
【００１１】
おむつ１では、吸収性本体１０は、図１及び図２に示すように、吸収性材料を含む吸収性コア４０を有する吸収体４と、吸収体４の肌対向面側に配され、吸収体４よりも着用者の肌に近くに位置して着用時に着用者の肌と接触し得る液透過性の表面シート２と、吸収体４の非肌対向面側に配され、吸収体４よりも着用者の肌から遠くに位置する液不透過性ないし撥水性の裏面シート３とを具備している。おむつ１の吸収性本体１０は、図１に示す如き平面視において、股下領域１Ｍに位置する縦方向Ｘの中央部が内方に括れ且つ一方向即ち縦方向Ｘに長い縦長の形状をなしている。表面シート２及び裏面シート３は、それぞれ、両シート２，３間に介在配置された吸収体４よりも大きな寸法を有し、図１に示す如き展開且つ伸長状態のおむつ１の外形を形成している。
【００１２】
尚、本明細書において、「肌対向面」は、吸収性物品又はその構成部材（例えば吸収体４）における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側（着衣側）に向けられる面、即ち相対的に着用者の肌から遠い側である。尚、ここでいう「着用時」は、通常の適正な着用位置が維持された状態を意味する。
【００１３】
おむつ１の吸収性本体１０は、腹側領域１Ｆ及び背側領域１Ｒそれぞれのウエスト部、即ち縦方向Ｘの端部における表面シート２と裏面シート３との間に、糸状又は帯状の弾性部材（不図示）が、おむつ１の横方向Ｙの略全長に亘って横方向Ｙに伸長状態で固定されており、これにより、おむつ１の着用時における該ウエスト部には、該弾性部材（不図示）の収縮によりウエストギャザーが形成されるようになっていることが好ましい。また、背側領域１Ｒにおける着用者の胴周りに対応する胴周り部における表面シート２と裏面シート３との間には、糸状又は帯状の弾性部材（不図示）が横方向Ｙに伸長状態で複数固定されており、これにより、おむつ１の着用時における該胴周り部には、該弾性部材（不図示）の収縮により胴周りギャザーが形成されるようになっていることが好ましい。
【００１４】
おむつ１の吸収性本体１０は、図１に示すように、その縦方向Ｘに沿う両側部１０ｓ，１０ｓに、縦方向Ｘに伸長状態の弾性部材１１を配した一対の防漏カフ５，５を有している。防漏カフ５は、股下領域１Ｍでは、着用状態において起立するように形成されている。好適に、吸収性本体１０の各側部１０ｓには、防漏カフ５が表面シート２の肌当接面側であって、且つ側部１０ｓの縦方向Ｘ全域に亘って配されている。防漏カフ５は、縦方向Ｘに沿う内側縁部と、横方向Ｙの外方に位置して縦方向Ｘに沿う外側縁部とを有し、図１に示す如き平面視において、該内側縁部は吸収体４と重なり、該外側縁部は吸収体４の縦方向Ｘに沿う側縁から横方向Ｙの外方に延出し、図２及び図３に示すように、裏面シート３と接合されている。防漏カフ５の内側縁部には、糸状の弾性部材１１が縦方向Ｘに沿って伸長状態で固定されている。前記内側縁部は、少なくとも股下領域１Ｍ、具体的には例えば、股下領域１Ｍ並びに腹側領域１Ｆ及び背側領域１Ｒにおける股下領域１Ｍ寄りの部分においては、表面シート２をはじめとするおむつ１の他の構成部材と非接合の自由端部とされている。そして、腹側領域１Ｆ及び背側領域１Ｒにおける縦方向Ｘの前後端部においては、防漏カフ５は、前記内側縁部が内向きに倒伏された状態で表面シート２に接合されている。股下領域１Ｍでは、前記自由端部に配された弾性部材１１の収縮力により、着用状態において、該自由端部から固定された前記外側縁部までの部分が、表面シート２から離間して着用者の身体に向けて起立し、吸収性本体１０から横方向Ｙ外方への体液の漏れが防止できるようになる。
【００１５】
また、図１に示すように、着用者の脚周りに配される左右のレッグ部における防漏カフ５と裏面シート３との間には、糸状の弾性部材１２が縦方向Ｘに沿って伸長状態で固定されており、これにより、おむつ１の着用時における該レッグ部には、弾性部材１２の収縮により一対のレッグギャザーが形成されるようになる。表面シート２、裏面シート３、吸収体４、防漏カフ５及び各弾性部材１１〜１２は、ホットメルト接着剤等の公知の接合手段により互いに接合されている。
【００１６】
おむつ１では、図１に示すように、吸収性本体１０の背側領域１Ｒの縦方向Ｘに沿う両側縁部には、一対のファスニングテープ６，６が設けられている。ファスニングテープ６には、機械的面ファスナーのオス部材からなる止着部６１が取り付けられている。また、おむつ１の腹側領域１Ｆの非肌対向面には、機械的面ファスナーのメス部材からなる被止着領域７が形成されている。被止着領域７は、腹側領域１Ｆの非肌対向面を形成する裏面シート３の非肌対向面に、機械的面ファスナーのメス部材を公知の接合手段、例えば接着剤やヒートシール等で接合固定して形成されており、ファスニングテープ６の止着部６１を着脱自在に止着可能になされている。
【００１７】
表面シート２としては、使い捨ておむつ等の吸収性物品に従来使用されている各種のものを特に制限なく用いることができ、尿や便などの体液を透過し得る液透過性シートであることを前提として、合成繊維又は天然繊維からなる織布や不織布、多孔性シート等を用いることができる。表面シート２の一例として、コットン等の天然繊維を材料とする不織布や、各種合成繊維に親水化処理を施したものを材料とする不織布を用いることができる。例えば、芯成分にポリプロピレンやポリエステル、鞘成分にポリエチレンを用いた、芯鞘構造型（サイドバイサイド型も含む）複合繊維をカーディングによりウエブ化した後、エアスルー法によって不織布（この後所定箇所に開孔処理を施しても良い）としたものが挙げられる。また、透液性の高さの点（ドライ感）から、低密度ポリエチレン等のポリオレフィンからなる開孔シートも好ましく用いることができる。
【００１８】
裏面シート３としては、使い捨ておむつ等の吸収性物品に従来使用されている各種のものを特に制限なく用いることができ、液不透過性（撥水性を含む）で、且つ透湿性のものが好ましく用いられる。具体的に十分な水蒸気透過性を得るために、炭酸カルシウム等のフィラーからなる微粉を分散させたポリエチレン等の合成樹脂製のフィルムを延伸し、微細な孔を設けた多孔質フィルムは、裏面シート３として好適に使用できる。
防漏カフ５としては、裏面シート３として使用可能な液難透過性（撥水性・疎水性を含む）のシートを用いることができる。
【００１９】
吸収体４は、図１に示すように、液保持性の吸収性コア４０と、吸収性コア４０を被覆するコアラップシート４１とを含んで構成されている。吸収性コア４０とコアラップシート４１との間は、後述するヨレ規制部４３を除き、ホットメルト接着剤等の公知の接合手段により接合されていることが好ましい。吸収体４を構成する吸収性コア４０は、図１に示す如き平面視において、股下領域１Ｍでは、縦方向Ｘに沿う両側部が横方向Ｙ内方に括れている。好適に、吸収性コア４０は、股下領域１Ｍに位置する縦方向Ｘの中央部が内方に括れた砂時計状で且つ縦方向Ｘに長い縦長の形状を有している。
【００２０】
吸収性コア４０は吸収性材料を主体として構成され、吸収性コア４０における吸収性材料の含有量は通常ほぼ１００質量％である。吸収性材料としては、使い捨ておむつ等の吸収性物品に従来使用されている各種のものを特に制限なく用いることができ、例えば、木材パルプ等のセルロース系繊維、親水化剤により処理された合繊繊維等の親水性繊維や吸水性ポリマーが挙げられる。吸収性コア４０の構成として、親水性繊維の積繊体、あるいは該積繊体に吸水性ポリマーを担持させた構成、あるいは吸水性ポリマーのみからなる構成を例示できる。
コアラップシート４１としては、この種の吸収性物品に従来用いられているものと同様のものを用いることができ、例えば、ティッシュペーパー等が挙げられる。
【００２１】
おむつ１では、吸収性コア４０は、図１及び図２に示すように、股下領域１Ｍでは、縦方向Ｘに延びる複数条のヨレ規制部４３，４３・・・を有している。各ヨレ規制部４３は、おむつ１では、吸収性コア４０の股下領域１Ｍのみならず、背側領域１Ｒから腹側領域１Ｆに亘って、縦方向Ｘに平行に形成されている。おむつ１では、図１に示すとおり４条のヨレ規制部４３，４３，４３，４３を有しているが、ヨレ規制部の本数はこれに限られない。
【００２２】
ヨレ規制部４３は、おむつ１を着用した状態において、該おむつ１に外力が加わったときに、吸収性コア４０の変形の起点ないし優先的に圧縮される部位である。この目的のために、各ヨレ規制部４３は、例えば、縦方向Ｘに延びる溝、圧搾溝又は非積繊部等から形成されている。溝とは、底部を有する所定幅の細長い凹部のことであり、該凹部の底部の坪量が該凹部を除く周辺部分の坪量よりも低いものである。圧搾溝とは、底部を有する所定幅の細長い凹部のことであり、該凹部の底部の密度が該凹部を除く周辺部分の密度よりも高くなっているが、該凹部の底部の坪量と該凹部を除く周辺部分の坪量と同じものである。非積繊部とは、溝から底部を除去したものであり、吸収性コア４０を構成する吸収性材料が存在していない空隙部位のことである。おむつ１では、図２及び図３に示すように、各ヨレ規制部４３が、吸収性コア４０の非肌対向面側に形成された溝であり、吸収性コア４０の肌対向面側が平坦となっている。該溝であるヨレ規制部４３は、吸収性コア４０の非肌対向面側から肌対向面側に向かって窪んだ凹部形状に形成されている。
【００２３】
おむつ１では、ヨレ規制部４３は、その幅、すなわち横方向Ｙに沿った長さが、縦方向Ｘのいずれの位置においても同じであることが好ましい。
おむつ１では、４条のヨレ規制部４３，４３，４３，４３は、それらの幅が同じでもよく、あるいは異なっていてもよい。特に各ヨレ規制部４３の幅が同じであると、外力が加わった時に均一に吸収体幅が圧縮され、ヨレをコントロールし、意図せぬヨレが発生しにくくなるので好ましい。この利点を一層顕著にする観点から、各ヨレ規制部４３の幅は、０．５ｍｍ以上であることが好ましく、１ｍｍ以上であることが更に好ましく、また、２０ｍｍ以下であることが好ましく、１０ｍｍ以下であることが更に好ましく、具体的には、０．５ｍｍ以上２０ｍｍ以下であることが好ましく、１ｍｍ以上１０ｍｍ以下であることが更に好ましい。
【００２４】
おむつ１では、４条のヨレ規制部４３，４３，４３，４３は、縦方向Ｘに沿った長さが同じでもよく、あるいは異なっていてもよい。特に各ヨレ規制部４３の長さが同じであると、着用時のフィット性がより良好となるので好ましい。この利点を一層顕著にする観点から、各ヨレ規制部４３の長さは、３０ｍｍ以上であることが好ましく、１００ｍｍ以上であることが更に好ましく、また、５００ｍｍ以下であることが好ましく、４００ｍｍ以下であることが更に好ましく、具体的には、３０ｍｍ以上５００ｍｍ以下であることが好ましく、１００ｍｍ以上４００ｍｍ以下であることが更に好ましい。
【００２５】
ヨレ規制部４３を除く吸収性コア４０の坪量は、おむつ１の着用時の違和感を抑制し、フィット性を向上させる観点から、３００ｇ／ｍ2以上９００ｇ／ｍ2以下であることが好ましく、３５０ｇ／ｍ2以上８００ｇ／ｍ2以下であることが更に好ましい。
ヨレ規制部４３の坪量、言い換えれば、ヨレ規制部４３に位置する吸収性コア４０の部分の坪量は、ヨレ規制部４３を除く吸収性コア４０の坪量よりも低く、おむつ１の着用時の違和感を抑制し、フィット性を向上させる観点から、０ｇ／ｍ2以上５００ｇ／ｍ2以下であることが好ましく、０ｇ／ｍ2以上４００ｇ／ｍ2以下であることが更に好ましい。尚、吸収性コア４０の坪量が０ｇ／ｍ2であるとは、ヨレ規制部４３が吸収性材料が存在しない非積繊部であることを意味する。
【００２６】
おむつ１に用いられる吸収性コア４０は、例えば周面に凹部が形成された積繊ドラムを用い、該凹部内にパルプ繊維等の親水性繊維及び吸水性ポリマーの粒子からなる吸収性材料を堆積させて積繊体を製造するときに、該凹部の底部を構成する通気性部材のうち、低坪量領域であるヨレ規制部４３となるべき部位を低通気性とすることで製造できる。即ち、前記の通気性部材のうち、ヨレ規制部４３の形成予定部の位置に非通気の非積繊部位とすればよい。
【００２７】
おむつ１では、吸収性本体１０は、図１〜図３に示すように、弾性部材１１の収縮力に抗して伸長させ一対の防漏カフ５，５を横方向Ｙ内方に表面シート２の肌対向面上に倒伏させた状態で、表面シート２における倒伏した一対の防漏カフ５，５で挟まれた領域内に、親水性のスキンケア剤が配されたスキンケア配置部分８を含むスキンケア剤配置領域８Ｔを有している。ここで、「弾性部材１１の収縮力に抗して伸長させ一対の防漏カフ５，５を横方向Ｙ内方に表面シート２の肌対向面上に倒伏させた状態」とは、各部の弾性部材１１，１２等を伸長させて、おむつ１全体を、設計寸法（弾性部材の影響を一切排除した状態で平面状に広げたときの寸法と同じ）となるまで広げた状態を意味する。おむつ１では、スキンケア剤配置領域８Ｔは、表面シート２の肌対向面上に配され、横方向Ｙにおいては、一対の防漏カフ５，５で挟まれた領域内、具体的には、一対の防漏カフ５，５の弾性部材１１の配された自由端部どうしで挟まれた領域内に配されており、縦方向Ｘにおいては、少なくとも股下領域１Ｍに亘って配されていればよく、おむつ１では、腹側領域１Ｆから背側領域１Ｒに亘って配されている。このように、スキンケア剤配置領域８Ｔは、表面シート２における各防漏カフ５と重なる位置には形成されておらず、スキンケア剤が防漏カフ５に付着し難くなっている。
【００２８】
スキンケア剤配置領域８Ｔにおいては、スキンケア剤がスキンケア剤配置領域８Ｔの全面に亘って配されていてもよく、スキンケア剤がスキンケア剤配置領域８Ｔの全面に亘って配されていなくてもよい。おむつ１では、図１に示すように、スキンケア剤がスキンケア剤配置領域８Ｔの全面に亘って配されているわけではなく、スキンケア剤配置領域８Ｔには、吸収性コア４０のヨレ規制部４３を除く位置に対応する位置に、スキンケア剤が配置されており、スキンケア剤の配されたスキンケア剤の配置部分８が形成されている。図２及び図３に示すように断面視して、スキンケア剤の配置部分８は、ヨレ規制部４３と重なる位置に配されておらず、横方向Ｙに隣り合うスキンケア剤の配置部分８，８どうしの間には、スキンケア剤が配置されていない部分となっている。スキンケア剤の配置部分８は、おむつ１では、少なくとも股下領域１Ｍに亘って配された股下配置部分８Ｍと、腹側領域１Ｆに亘ってのみ配された腹側配置部分８Ｆと、背側領域１Ｒに亘ってのみ配された背側配置部分８Ｒとを有している。
【００２９】
おむつ１では、股下配置部分８Ｍは、図１に示すように、吸収性コア４０の横方向Ｙに隣り合うヨレ規制部４３，４３どうしの間に対応する位置に形成されており、３か所に形成されている。３つの股下配置部分８Ｍ，８Ｍ，８Ｍは、腹側領域１Ｆから股下領域１Ｍを介して背側領域１Ｒに亘って連続して帯状に形成されている。３つの股下配置部分８Ｍ，８Ｍ，８Ｍは、それらの幅が同じでもよく、あるいは異なっていてもよいが、おむつ１では、各股下配置部分８Ｍの幅Ｗ１（図２参照）が同じに形成されている。各股下配置部分８Ｍの幅Ｗ１は、１ｍｍ以上であることが好ましく、３ｍｍ以上であることが更に好ましく、また、２０ｍｍ以下であることが好ましく、１０ｍｍ以下であることが更に好ましく、具体的には、１ｍｍ以上２０ｍｍ以下であることが好ましく、３ｍｍ以上１０ｍｍ以下であることが更に好ましい。
【００３０】
おむつ１では、３つの股下配置部分８Ｍ，８Ｍ，８Ｍは、縦方向Ｘに沿った長さが同じでもよく、あるいは異なっていてもよいが、おむつ１では、図１に示すように、各股下配置部分８Ｍの長さが同じになっている。各股下配置部分８Ｍの長さは、１００ｍｍ以上であることが好ましく、１５０ｍｍ以上であることが更に好ましく、また、６００ｍｍ以下であることが好ましく、４５０ｍｍ以下であることが更に好ましく、具体的には、１００ｍｍ以上６００ｍｍ以下であることが好ましく、１５０ｍｍ以上４５０ｍｍ以下であることが更に好ましい。
ここで、股下配置部分８Ｍが縦方向Ｘに間欠に配されている場合には、股下配置部分８Ｍの縦方向Ｘの長さは、最も縦方向Ｘ端部に配置された部分を含む、全体の長さとする。
【００３１】
おむつ１では、腹側配置部分８Ｆは、図１に示すように、スキンケア剤配置領域８Ｔの縦方向Ｘに沿う両側部における腹側領域１Ｆにのみ連続して帯状に配されており、おむつ１では一対で形成されている。各腹側配置部分８Ｆは、横方向Ｙにおいて、最も横方向Ｙ外方に位置するヨレ規制部４３よりも横方向Ｙ外方で、且つ、防漏カフ５の弾性部材１１の配された自由端部よりも横方向Ｙ内方に配されている。
【００３２】
おむつ１では、背側配置部分８Ｒは、図１に示すように、スキンケア剤配置領域８Ｔの縦方向Ｘに沿う両側部における背側領域１Ｒにのみ連続して帯状に配されており、おむつ１では一対で形成されている。各背側配置部分８Ｒは、横方向Ｙにおいて、最も横方向Ｙ外方に位置するヨレ規制部４３よりも横方向Ｙ外方で、且つ、防漏カフ５の弾性部材１１の配された自由端部よりも横方向Ｙ内方に配されている。
【００３３】
おむつ１では、各腹側配置部分８Ｆ及び各背側配置部分８Ｒは、それらの幅が同じでもよく、あるいは異なっていてもよいが、おむつ１では、各腹側配置部分８Ｆ及び各背側配置部分８Ｒの幅Ｗ２（図３参照）が同じに形成されている。各腹側配置部分８Ｆ及び各背側配置部分８Ｒの幅Ｗ２の幅は、１ｍｍ以上であることが好ましく、３ｍｍ以上であることが更に好ましく、また、２０ｍｍ以下であることが好ましく、１０ｍｍ以下であることが更に好ましく、具体的には、１ｍｍ以上２０ｍｍ以下であることが好ましく、３ｍｍ以上１０ｍｍ以下であることが更に好ましい。
【００３４】
おむつ１では、各腹側配置部分８Ｆ及び各背側配置部分８Ｒは、縦方向Ｘに沿った長さが同じでもよく、あるいは異なっていてもよいが、おむつ１では、図１に示すように、各腹側配置部分８Ｆ及び各背側配置部分８Ｒの長さが同じになっている。各腹側配置部分８Ｆ及び各背側配置部分８Ｒの長さは、股下配置部分８Ｍの長さよりも短く、腹側領域１Ｆ又は背側領域１Ｒの長さよりも短く、２０ｍｍ以上であることが好ましく、３０ｍｍ以上であることが更に好ましく、また、１００ｍｍ以下であることが好ましく、８０ｍｍ以下であることが更に好ましく、具体的には、２０ｍｍ以上１００ｍｍ以下であることが好ましく、３０ｍｍ以上８０ｍｍ以下であることが更に好ましい。
【００３５】
おむつ１では、股下領域１Ｍにおけるスキンケア剤の配置部分８の横方向Ｙの長さの合計が、腹側領域１Ｆ及び背側領域１Ｒの何れか一方におけるスキンケア剤の配置部分８の横方向Ｙの長さの合計よりも小さくなっている。上述したように、おむつ１では、図１に示すように、スキンケア剤の配置部分８は、おむつ１では、３つの股下配置部分８Ｍ，８Ｍ，８Ｍが、腹側領域１Ｆから股下領域１Ｍを介して背側領域１Ｒに亘って形成されており、一対の腹側配置部分８Ｆ，８Ｆが腹側領域１Ｆに亘ってのみ形成されており、一対の背側配置部分８Ｒ，８Ｒが背側領域１Ｒに亘ってのみ形成されている。その為、おむつ１では、股下領域１Ｍでの配置部分８の横方向Ｙの長さの合計は、股下配置部分８Ｍの横方向Ｙの長さ（幅）Ｗ１の３倍の長さとなり、腹側領域１Ｆでの配置部分８の横方向Ｙの長さの合計は、股下配置部分８Ｍの横方向Ｙの長さ（幅）Ｗ１の３倍の長さと腹側配置部分８Ｆの横方向Ｙの長さ（幅）Ｗ２の２倍の長さとの総和となり、背側領域１Ｒでの配置部分８の横方向Ｙの長さの合計は、股下配置部分８Ｍの横方向Ｙの長さ（幅）Ｗ１の３倍の長さと背側配置部分８Ｒの横方向Ｙの長さ（幅）Ｗ２の２倍の長さとの総和となっている。従って、おむつ１では、股下領域１Ｍにおけるスキンケア剤の配置部分８の横方向Ｙの長さの合計が、腹側領域１Ｆ及び背側領域１Ｒそれぞれにおけるスキンケア剤の配置部分８の横方向Ｙの長さの合計よりも小さくなっている。
【００３６】
おむつ１では、股下領域１Ｍにおいて、スキンケア剤の配置量が、スキンケア剤配置領域８Ｔの縦方向Ｘに沿う剤配置両側部８Ｔｓ，８Ｔｓそれぞれよりも剤配置両側部８Ｔｓ，８Ｔｓの間の剤配置中央部８Ｔｃの方が多くなっている。ここで、剤配置両側部８Ｔｓ，８Ｔｓ及び剤配置中央部８Ｔｃの区分は、おむつ１のように、股下領域１Ｍにおいて、３つの股下配置部分８Ｍ，８Ｍ，８Ｍを有している場合には、横方向Ｙ中心の１つの股下配置部分８Ｍが剤配置中央部８Ｔｃであり、該１つの股下配置部分８Ｍ以外の残りの股下配置部分８Ｍ，８Ｍが剤配置両側部８Ｔｓである。また、スキンケア剤がスキンケア剤配置領域８Ｔの全面に亘って配されている、或いは３つ以外の股下配置部分８Ｍを有する場合等で、剤配置両側部８Ｔｓ，８Ｔｓ及び剤配置中央部８Ｔｃの区分がし難い場合には、スキンケア剤配置領域８Ｔを横方向Ｙに三等分し、三等分したスキンケア剤配置領域８Ｔにおける中央の部分を剤配置中央部８Ｔｃとし、剤配置中央部８Ｔｃの両脇に位置する残りの部分を剤配置両側部８Ｔｓ，８Ｔｓとする。また、「スキンケア剤の配置量」とは、表面シート２にスキンケア剤を塗工して配されたスキンケア剤の量を意味する。
【００３７】
スキンケア剤の配置部分８を形成するために用いられる親水性のスキンケア剤としては、着用者の肌に対して保護、治癒等の効能を有するものを特に制限なく用いることができる。例えば、好ましいスキンケア剤として、下記式（Ｉ）で表されるジアミド誘導体が挙げられる。下記式（Ｉ）で表されるジアミド誘導体は、国際公開公報ＷＯ００／６１０９７号に記載されている発明のジアミド誘導体であり、角質層の水分保持能力及びバリヤ機能を改善する、という薬効を有している。該ジアミド誘導体が、おむつ１の着用中に着用者の肌に移行すると、油性スキンケア剤として機能し、肌のかぶれを抑制／改善することができる。
【００３８】
【化１】
2018102836.tif 000003
【００３９】
前記ジアミド誘導体を使用する場合、使用するジアミド誘導体は１種のみであってもよいし、２種以上を併用することもできる。
【００４０】
また、スキンケア剤の配置部分８を形成するために使用し得る他の親水性のスキンケア剤としては、例えば化粧品の分野においてエモリエント剤として用いられている油性スキンケア剤等を用いることができる。該他の親水性のスキンケア剤の具体例としては、流動パラフィン、シリコーンオイル、動植物油（オリーブ油、ホオバ油、ベニバナ油、スクワラン及びスクワレン等）、モノグリセライド、ジグリセライド、トリグリセライド、脂肪族エーテル（ミリスチル−１，３−ジメチルブチルエーテル、パルミチル−１，３−ジメチルブチルエーテル、ステアリル−１，３−ジメチルブチルエーテル、パルミチル−１，３−メチルプロピルエーテル、ステアリル−１，３−メチルプロピルエーテル等）、イソステアリル−コレステロールエステル、パラフィンワックス、Ｃ12〜Ｃ22脂肪酸、Ｃ12〜Ｃ44脂肪酸エーテル、Ｃ12〜Ｃ22脂肪アルコール、ワセリン、脂肪酸ソルビタンエステル（モノエステル、ジエステル、及びトリエステルのいずれでもよい。）、ポリオキシエチレン脂肪酸ソルビタンエステル（モノエステル、ジエステル、及びトリエステルのいずれでもよい。）、金属石験（ステアリン酸マグネシウム等）、ショ糖脂肪酸エステル、シクロデキストリン脂肪酸エステル、シリコーン、シリコーン系レジン、特開２００４−２９８６４３号公報又は特表２００８−５２２７７２号公報に記載されている発明で使用されるエモリエント剤やエモリエント剤と固定化剤を含むローション組成物等が挙げられる。
前記各種のスキンケア剤は、１種を単独で使用しても良いし、２種以上を併用しても良い。
表面シート２上に排泄された体液の透過性を低下させない観点から、Ｃ12〜Ｃ22脂肪アルコール（好ましくはステアリルアルコール）と、上式（Ｉ）のジアミド誘導体との混合物を好ましく用いることができる。ステアリルアルコールと上式（Ｉ）のジアミド誘導体との混合比（ステアリルアルコール／ジアミド誘導体）は、スキンケア剤の肌への移行性、スキンケア効果、使用時の感触、及び表面シート２の体液透過性の観点から、９０／１０〜５０／５０（質量％）であること好ましい。これらの混合物は、加熱してその流動性を高めてから、表面シート２上に塗工して付着させることが好ましい。表面シート２に付着させた後は、常温で放置することにより、流動性を低下させて、表面シート２に保持され易くする。
【００４１】
親水性のスキンケア剤を表面シート２上に塗工するコーティング方式としては、ダイスコーター方式、スロットスプレー方式、カーテンスプレー方式、メルトブローン方式、スパイラルスプレー方式、グラビア方式、ビード方式等が挙げられる。
【００４２】
スキンケア剤配置領域８Ｔにおけるスキンケア剤の配置量、言い換えれば、スキンケア剤が実際に塗工されている塗工量は、股下領域１Ｍにおいて、剤配置側部８Ｔｓよりも剤配置中央部８Ｔｃの方が多くなっており、剤配置側部８Ｔｓのスキンケア剤の配置量に対する剤配置中央部８Ｔｃのスキンケア剤の配置量の割合（剤配置中央部８Ｔｃの配置量／剤配置側部８Ｔｓの配置量）は、スキンケア剤の肌への効果、及び表面シートへ体液の透過性の観点から、１．５倍以上であることが好ましく、２倍以上であることが更に好ましく、また、１００倍以下であることが好ましく、１０倍以下であることが更に好ましく、具体的には、１．５倍以上１００倍以下であることが好ましく、２倍以上１０倍以下であることが更に好ましい。
具体的に、剤配置側部８Ｔｓのスキンケア剤の配置量は、同様の観点から、０．０５ｇ／ｍ2以上とすることが好ましく、０．１０ｇ／ｍ2以上とすることが更に好ましく、そして、２．００ｇ／ｍ2以下とすることが好ましく、１．００ｇ／ｍ2以下とすることが更に好ましく、具体的には、０．０５ｇ／ｍ2以上２．００ｇ／ｍ2以下とすることが好ましく、０．１０ｇ／ｍ2以上１．００ｇ／ｍ2以下とすることが更に好ましい。
剤配置中央部８Ｔｃのスキンケア剤の配置量は、同様の観点から、０．１０ｇ／ｍ2以上とすることが好ましく、０．３０ｇ／ｍ2以上とすることが更に好ましく、そして、５．００ｇ／ｍ2以下とすることが好ましく、３．００ｇ／ｍ2以下とすることが更に好ましく、具体的には、０．１０ｇ／ｍ2以上５．００ｇ／ｍ2以下とすることが好ましく、０．３０ｇ／ｍ2以上３．００ｇ／ｍ2以下とすることが更に好ましい。
【００４３】
尚、腹側配置部分８Ｆ、又は背側配置部分８Ｒのスキンケア剤の配置量は、０．０５ｇ／ｍ2以上とすることが好ましく、０．１０ｇ／ｍ2以上とすることが更に好ましく、そして、２．００ｇ／ｍ2以下とすることが好ましく、１．００ｇ／ｍ2以下とすることが更に好ましく、具体的には、０．０５ｇ／ｍ2以上２．００ｇ／ｍ2以下とすることが好ましく、０．１０ｇ／ｍ2以上１．００ｇ／ｍ2以下とすることが更に好ましい。
【００４４】
表面シート２の肌対向面に配されたスキンケア剤の配置部分８とイオン交換水との接触角は、９０度未満であり、５５度以上８５度以下であることが好ましい。下記方法で測定される前記接触角が９０度未満であればスキンケア剤の配置部分８が親水性であることを意味し、該接触角が小さいほど親水性が高い（疎水性が低い）ことを意味する。
【００４５】
＜接触角の測定方法＞
測定対象である表面シート２からスキンケア剤の配置部分８における繊維を取り出し、その繊維に対する水の接触角を測定する。測定装置として、協和界面科学株式会社製の自動接触角計ＭＣＡ−Ｊを用いる。接触角の測定には蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、繊維の真上に滴下する。滴下の様子を水平に設置されたカメラに接続された高速度録画装置に録画する。録画装置は後に画像解析をする観点から、高速度キャプチャー装置が組み込まれたパーソナルコンピュータが望ましい。本測定では、１７ｍｓｅｃ毎に画像が録画される。録画された映像において、繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維とのなす角を算出し、接触角とする。測定対象物から取り出した繊維は、繊維長１ｍｍに裁断し、該繊維を接触角計のサンプル台に載せて、水平に維持する。繊維１本につき異なる２箇所の接触角を測定する。Ｎ＝５本の接触角を小数点以下１桁まで計測し、合計１０箇所の測定値を平均した値（小数点以下第２桁で四捨五入）を、当該繊維の水との接触角と定義する。測定環境は、室温２２±２℃、湿度６５±２％ＲＨとする。
【００４６】
尚、吸収性物品からその構成部材である表面シート２を取り出して評価測定する場合において、その構成部材が、接着剤、融着などによって他の構成部材に固定されている場合には、その固定部分を、溶剤の塗布、ドライヤーによる熱風吹き付け、コールドスプレー（例えばニチバン株式会社製の市販品）の吹き付けなどによって除去してから取り出す。
【００４７】
上述のように、おむつ１では、図１〜図３に示すように、吸収性本体１０が、弾性部材１１の収縮力に抗して伸長させ一対の防漏カフ５，５を横方向Ｙ内方に表面シート２の肌対向面上に倒伏させた状態で、表面シート２における倒伏した一対の防漏カフ５，５で挟まれた領域内に、親水性のスキンケア剤が配されたスキンケア剤配置領域８Ｔを有している。ここで、親水性のスキンケア剤が配されているので、表面シート２の体液透過性を維持することができる。また、スキンケア剤配置領域８Ｔが一対の防漏カフ５，５で挟まれた領域内に形成されているので、おむつ１の着用中にスキンケア剤が防漏カフ５に付着し難く、防漏カフ５の液難透過性が維持でき、水様便等の体液が染み出して漏れることを防止できる。特に、スキンケア剤配置領域８Ｔにおけるスキンケア剤の配置量が、股下領域１Ｍにおいて、剤配置側部８Ｔｓよりも剤配置中央部８Ｔｃの方が多いので、相対的に配置量の少ない剤配置側部８Ｔｓに配されたスキンケア剤が着用中に防漏カフ５に付着し難く、体液の漏れを防止できる。
【００４８】
また、図１及び図２に示すように、おむつ１の股下領域１Ｍには、吸収性コア４０が縦方向Ｘに延びる複数条のヨレ規制部４３，４３・・・を有しており、おむつ１を着用した状態において、該おむつ１に幅方向に外力が加わると幅方向に圧縮されるが、この際、ヨレ規制部４３が優先的に圧縮されて幅方向に変形することで、ヨレが発生する位置を制御することが可能となり、意図せぬヨレが発生しにくくなる。その為、おむつ１の着用中にスキンケア剤が防漏カフ５に更に付着し難い。特に、おむつ１のスキンケア剤配置領域８Ｔでは、吸収性コア４０のヨレ規制部４３を除く位置に対応する位置に、スキンケア剤が配置されているので、吸収性コア４０の肌対向面上にスキンケア剤配置領域８Ｔを留めることができ、スキンケア剤が防漏カフ５に付着し難い。
【００４９】
また、図１〜図３に示すように、おむつ１では、股下領域１Ｍにおけるスキンケア剤の配置部分８の横方向Ｙの長さの合計が、腹側領域１Ｆ及び背側領域１Ｒそれぞれにおけるスキンケア剤の配置部分８の横方向Ｙの長さの合計よりも小さくなっている。その為、股下領域１Ｍにおけるスキンケア剤の配置部分８が相対的に小さいので、おむつ１の着用中に漏れやすい股下領域１Ｍにおいて、スキンケア剤が防漏カフ５に付着し難い。特に、股下領域１Ｍでは、吸収体４を構成する吸収性コア４０が縦方向Ｘに沿う両側部が横方向Ｙ内方に括れているので、おむつ１を着用した状態において、該おむつ１に外力が加わったとしても吸収体４によれが生じ難く、スキンケア剤が防漏カフ５に付着し難くなっている。
【００５０】
また、図２及び図３に示すように、おむつ１では、吸収性コア４０に配された各ヨレ規制部４３が、吸収性コア４０の非肌対向面側に形成された溝であり、吸収性コア４０の肌対向面側が平坦となっている。その為、おむつ１を着用した状態において、該おむつ１に外力が加わると、前記段落〔００４８〕に記載した効果に加えて、吸収体４が着用者の肌対向面側から非肌対向面側に向かって湾曲し易く、スキンケア剤が防漏カフ５に付着し難くなっている。
【００５１】
以上、本発明をその実施形態に基づいて説明したが、本発明は、前記実施形態に制限されることなく適宜変更が可能である。
【００５２】
例えば、おむつ１では、図１及び図３に示すように、吸収性コア４０が、縦方向Ｘに延びる複数条のヨレ規制部４３を有しているが、ヨレ規制部４３を有していなくてもよい。また、おむつ１では、ヨレ規制部４３が、吸収性コア４０の非肌対向面側に形成された溝であるが、吸収性コア４０の肌対向面側に形成された溝であってもよい。
【００５３】
また、おむつ１では、図１に示すように、スキンケア剤の配置部分８は、少なくとも股下領域１Ｍに亘って配された股下配置部分８Ｍと、腹側領域１Ｆに亘ってのみ配された腹側配置部分８Ｆと、背側領域１Ｒに亘ってのみ配された背側配置部分８Ｒとを有しているが、少なくとも股下領域１Ｍに股下配置部分８Ｍを有していれば、腹側配置部分８Ｆ及び背側配置部分８Ｒを有していなくてもよい。
【００５４】
また、おむつ１では、図１に示すように、３つの股下配置部分８Ｍ，８Ｍ，８Ｍが腹側領域１Ｆから股下領域１Ｍを介して背側領域１Ｒに亘って連続して形成されており、腹側配置部分８Ｆが腹側領域１Ｆに連続して配されており、背側配置部分８Ｒが背側領域１Ｒに連続して配されているが、股下配置部分８Ｍ、腹側配置部分８Ｆ及び背側配置部分８Ｒが縦方向Ｘに間欠的にドット状に配され非連続的に配されていてもよい。
【００５５】
また、本発明の吸収性物品は、展開型の使い捨ておむつに制限されず、人体から排出される体液（尿、軟便、経血、汗等）の吸収に用いられる物品を広く包含し、パンツ型の使い捨ておむつ、生理用ナプキン、生理用ショーツ等も包含される。
【００５６】
前述した本発明の実施形態に関し、更に以下の吸収性物品を開示する。
＜１＞
液保持性の吸収体と該吸収体の肌対向面側に液透過性の表面シートとを有する吸収性本体を具備し、着用者の腹側から股間部を介して背側に延びる縦方向とこれに直交する横方向とを備えると共に、該股間部に配される股下領域並びにその前後に延在する腹側領域及び背側領域を備える吸収性物品であって、前記吸収性本体は、その縦方向に沿う両側部に、縦方向に伸長状態の弾性部材を配した一対の防漏カフを有し、前記防漏カフは、股下領域では、着用状態において起立するように形成されており、前記吸収性本体は、前記弾性部材の収縮力に抗して伸長させ前記一対の防漏カフを横方向内方に前記表面シートの肌対向面上に倒伏させた状態で、前記表面シートにおける倒伏した該一対の防漏カフで挟まれた領域内に、親水性のスキンケア剤が配されたスキンケア配置部分を含むスキンケア剤配置領域を有し、股下領域において、前記スキンケア剤の配置量は、前記スキンケア剤配置領域の縦方向に沿う剤配置両側部それぞれよりも該剤配置両側部の間の剤配置中央部の方が多い、吸収性物品。
【００５７】
＜２＞
前記吸収体は、吸収性材料を含む吸収性コアを有し、前記吸収性コアは、股下領域では、縦方向に延びる複数条のヨレ規制部を有している、前記＜１＞に記載の吸収性物品。
＜３＞
前記スキンケア剤配置領域において、前記吸収性コアの前記ヨレ規制部を除く位置に対応する位置に前記スキンケア剤が配置されている、前記＜２＞に記載の吸収性物品。
＜４＞
前記ヨレ規制部は、前記吸収性コアの非肌対向面側から肌対向面側に向かって窪んだ凹部形状に形成されている、前記＜２＞又は＜３＞に記載の吸収性物品。
＜５＞
前記ヨレ規制部は、それらの幅が同じである、前記＜２＞〜＜４＞の何れか１に記載の吸収性物品。
＜６＞
前記ヨレ規制部の幅は、０．５ｍｍ以上、好ましくは１ｍｍ以上であり、また、２０ｍｍ以下、好ましくは１０ｍｍ以下である、前記＜２＞〜＜５＞の何れか１に記載の吸収性物品。
＜７＞
前記ヨレ規制部は、縦方向に沿った長さが同じである、前記＜２＞〜＜６＞の何れか１に記載の吸収性物品。
＜８＞
前記ヨレ規制部の長さは、３０ｍｍ以上、好ましくは１００ｍｍ以上であり、また、５００ｍｍ以下、好ましくは４００ｍｍ以下である、前記＜２＞〜＜７＞の何れか１に記載の吸収性物品。
＜９＞
前記ヨレ規制部を除く前記吸収性コアの坪量は、３００ｇ／ｍ2以上９００ｇ／ｍ2以下、好ましくは３５０ｇ／ｍ2以上８００ｇ／ｍ2以下である、前記＜２＞〜＜８＞の何れか１に記載の吸収性物品。
＜１０＞
前記ヨレ規制部に位置する前記吸収性コアの部分の坪量は、該ヨレ規制部を除く該吸収性コアの坪量よりも低く、前記ヨレ規制部に位置する前記吸収性コアの部分の坪量は、０ｇ／ｍ2以上５００ｇ／ｍ2以下、好ましくは０ｇ／ｍ2以上４００ｇ／ｍ2以下である、前記＜２＞〜＜９＞の何れか１に記載の吸収性物品。
【００５８】
＜１１＞
前記スキンケア剤配置領域は、腹側領域から背側領域に亘って配されており、股下領域における前記スキンケア剤の配置部分の横方向の長さの合計が、腹側領域及び背側領域の何れか一方における前記スキンケア剤の配置部分の横方向の長さの合計よりも小さい、前記＜１＞〜＜１０＞の何れか１に記載の吸収性物品。
＜１２＞
前記吸収体は、吸収性材料を含む吸収性コアを有し、前記吸収性コアは、股下領域では、縦方向に沿う両側部が内方に括れている、前記＜１＞〜＜１１＞の何れか１に記載の吸収性物品。
＜１３＞
前記吸収体は、吸収性材料を含む吸収性コアを有し、前記吸収性コアは、肌対向面側が平坦である、前記＜１＞〜＜１２＞の何れか１に記載の吸収性物品。
＜１４＞
前記スキンケア配置部分は、少なくとも前記股下領域に亘って配された股下配置部分を有し、前記股下配置部分は、前記腹側領域から前記股下領域を介して前記背側領域に亘って連続して帯状に形成されている、前記＜１＞〜＜１３＞の何れか１に記載の吸収性物品。
＜１５＞
前記股下配置部分の幅Ｗ１は、１ｍｍ以上、好ましくは３ｍｍ以上であり、また、２０ｍｍ以下、好ましくは１０ｍｍ以下である、前記＜１４＞に記載の吸収性物品。
＜１６＞
前記股下配置部分の長さは、１００ｍｍ以上、好ましくは１５０ｍｍ以上であり、また、６００ｍｍ以下、好ましくは４５０ｍｍ以下である、前記＜１４＞又は＜１５＞に記載の吸収性物品。
＜１７＞
前記スキンケア配置部分は、前記腹側領域に亘ってのみ配された腹側配置部分を有し、前記腹側配置部分は、前記スキンケア剤配置領域の縦方向に沿う両側部における前記腹側領域にのみ連続して帯状に配されている、前記＜１＞〜＜１６＞の何れか１に記載の吸収性物品。
＜１８＞
前記吸収体は、吸収性材料を含む吸収性コアを有し、前記吸収性コアは、股下領域では、縦方向に延びる複数条のヨレ規制部を有しており、前記腹側配置部分は、前記横方向において、最も横方向外方に位置する前記ヨレ規制部よりも横方向外方で、且つ、前記防漏カフの弾性部材の配された自由端部よりも横方向内方に配されている、前記＜１７＞に記載の吸収性物品。
＜１９＞
前記スキンケア配置部分は、前記背側領域に亘ってのみ配された背側配置部分を有し、前記背側配置部分は、前記スキンケア剤配置領域の縦方向に沿う両側部における背側領域にのみ連続して帯状に配されている、前記＜１＞〜＜１８＞の何れか１に記載の吸収性物品。
【００５９】
＜２０＞
前記スキンケア配置部分は、少なくとも前記股下領域に亘って配された股下配置部分と、前記腹側領域に亘ってのみ配された腹側配置部分と、前記背側領域に亘ってのみ配された背側配置部分とを有し、前記腹側配置部分及び前記背側配置部分の幅Ｗ２が同じである、前記＜１＞〜＜１９＞の何れか１に記載の吸収性物品。
＜２１＞
前記腹側配置部分及び前記背側配置部分の幅Ｗ２の幅は、１ｍｍ以上、好ましくは３ｍｍ以上であり、また、２０ｍｍ以下、好ましくは１０ｍｍ以下である、前記＜２０＞に記載の吸収性物品。
＜２２＞
前記腹側配置部分及び前記背側配置部分は、縦方向に沿った長さが同じである、前記＜２０＞又は＜２１＞に記載の吸収性物品。
＜２３＞
前記腹側配置部分及び前記背側配置部分の長さは、前記股下配置部分の長さよりも短く、前記腹側領域又は前記背側領域の長さよりも短く、前記腹側配置部分及び前記背側配置部分の長さは、２０ｍｍ以上、好ましくは３０ｍｍ以上であり、また、１００ｍｍ以下、好ましくは８０ｍｍ以下である、前記＜２０＞〜＜２２＞の何れか１に記載の吸収性物品。
＜２４＞
前記股下領域におけるスキンケア配置部分の横方向の長さの合計が、前記腹側領域及び前記背側領域の何れか一方におけるスキンケア配置部分の横方向の長さの合計よりも小さくなっている、前記＜１＞〜＜２３＞の何れか１に記載の吸収性物品。
＜２５＞
親水性のスキンケア剤が下記式（Ｉ）で表されるジアミド誘導体である、前記＜１＞〜＜２４＞の何れか１に記載の吸収性物品。
【化２】
2018102836.tif 000004
【００６０】
＜２６＞
前記スキンケア剤配置領域は、剤配置側部及び剤配置中央部を有し、前記剤配置側部のスキンケア剤の配置量に対する前記剤配置中央部のスキンケア剤の配置量の割合（（剤配置中央部の配置量／剤配置側部の配置量）×１００）は、１５０％（１．５倍）以上、好ましくは２００％（２倍）以上であり、また、１００００％（１００倍）以下、好ましくは１０００％（１０倍）以下である、前記＜１＞〜＜２５＞の何れか１に記載の吸収性物品。
＜２７＞
前記剤配置側部のスキンケア剤の配置量は、０．０５ｇ／ｍ2以上、好ましくは０．１０ｇ／ｍ2以上であり、そして、２．００ｇ／ｍ2以下、好ましくは１．００ｇ／ｍ2以下である、前記＜２６＞に記載の吸収性物品。
＜２８＞
前記剤配置中央部のスキンケア剤の配置量は、０．１０ｇ／ｍ2以上、好ましくは０．３０ｇ／ｍ2以上であり、そして、５．００ｇ／ｍ2以下、好ましくは３．００ｇ／ｍ2以下である、前記＜２６＞又は＜２７＞に記載の吸収性物品。
＜２９＞
前記スキンケア配置部分は、前記腹側領域に亘ってのみ配された腹側配置部分と、前記背側領域に亘ってのみ配された背側配置部分とを有し、前記腹側配置部分、又は前記背側配置部分のスキンケア剤の配置量は、０．０５ｇ／ｍ2以上、好ましくは０．１０ｇ／ｍ2以上であり、そして、２．００ｇ／ｍ2以下、好ましくは１．００ｇ／ｍ2以下である、前記＜１＞〜＜２８＞の何れか１に記載の吸収性物品。
＜３０＞
前記吸収性本体の各側部には、前記防漏カフが前記表面シートの肌当接面側であって、且つ該側部の縦方向全域に亘って配されている、前記＜１＞〜＜２９＞の何れか１に記載の吸収性物品。
＜３１＞
前記腹側領域及び前記背側領域それぞれのウエスト部、即ち縦方向の端部における前記表面シートと前記裏面シートとの間に、糸状又は帯状の弾性部材が、前記吸収性物品の横方向の略全長に亘って横方向に伸長状態で固定されており、前記吸収性物品の着用時における該ウエスト部には、該弾性部材の収縮によりウエストギャザーが形成される、前記＜１＞〜＜３０＞の何れか１に記載の吸収性物品。
＜３２＞
前記背側領域における着用者の胴周りに対応する胴周り部における前記表面シートと前記裏面シートとの間には、糸状又は帯状の弾性部材が横方向に伸長状態で複数固定されており、前記吸収性物品の着用時における該胴周り部には、該弾性部材の収縮により胴周りギャザーが形成される、前記＜１＞〜＜３１＞の何れか１に記載の吸収性物品。
【符号の説明】
【００６１】
１  展開型使い捨ておむつ（吸収性物品）
１０  吸収性本体
２  表面シート
３  裏面シート
４  吸収体
４０  吸収性コア
４１  コアラップシート
４３  ヨレ規制部
５  防漏カフ
６  ファスニングテープ
６１  止着部
７  被止着領域
８  スキンケア剤の配置部分
８Ｔ  スキンケア剤配置領域
８Ｍ  股下配置部分
８Ｆ  腹側配置部分
８Ｒ  背側配置部分
１Ｆ  腹側領域
１Ｍ  股下領域
１Ｒ  背側領域
Ｘ  縦方向
Ｙ  横方向
【図１】
2018102836.tif 000005
【図２】
2018102836.tif 000006
【図３】
2018102836.tif 000007